(57)【特許請求の範囲】
【請求項１】
複数本の柱形とそれら各柱形間の外側寄りに設けられる内壁とによって囲まれた壁面凹部が、少なくとも室内の一の壁面に沿って複数箇所に形成され、これら複数箇所の壁面凹部に、前面の開口した箱状の外殻体を有する収納家具が、その前縁及び天端を同一面に揃え、奥行きの略半分以上を壁面凹部内に嵌め込むようにしてそれぞれ設置されるとともに、前記柱形の前面と前記収納家具の前縁との間の位置に内壁仕上面が形成され、
壁面凹部にそれぞれ設置された前記収納家具の天端上に、収納家具の前縁まで張り出した長押部が、当該壁面全体にわたり水平方向に連続して設けられ、
前記長押部によって上下に分割される内壁仕上面は、上部の内壁仕上面が下部の内壁仕上面よりも後退して形成されたことを特徴とする収納家具の設置構造。
【請求項２】
前記長押部は、少なくとも、略Ｈ形の断面を支持材と、この支持材の前縁に取り付けられた前縁材とを備え、前記支持材と前記前縁材との間隔が調節自在に取り付けられたことを特徴とする請求項１に記載の収納家具の設置構造。
【請求項３】
前記収納家具の外殻体は、互いに相対して立設される外側板と、これら外側板を連結する複数枚の水平板と、外側板及び水平板の後縁に張設される背板とからなり、外側板の前縁には外側に張り出した見切り縁が形成されたことを特徴とする請求項１又は２に記載の収納家具の設置構造。
【請求項４】
前記収納家具は、外殻体の内側に複数枚の仕切板が縦向きに取り付けられ、前記各水平板と前記各仕切板とによって分割される複数箇所の内部区画に、それぞれ開き戸、引き戸、棚板又は引出し等が選択的に取り付けられるように構成されるとともに、前記内部区画の幅及び高さが所定モジュール又はその整数倍となるようにシステム化されてなるものであることを特徴とする請求項３に記載の収納家具の設置構造。
【発明の詳細な説明】
【０００１】
【発明の属する技術分野】
本発明は、住宅等の内壁に組み込まれる収納家具の設置構造に関する。
【０００２】
【従来の技術】
住宅等の室内において、その内壁の一部に収納スペースを組み込む場合、いわゆる「造り付け収納」や「壁面収納システム」が採用される。
【０００３】
「造り付け収納」は、内壁を施工する際に、軸組材や胴縁材等に棚板や仕切板などを一体に取り付けて収納スペースを形成し、壁紙や塗装などについても内壁と収納スペースとを一体に仕上げるものである。
【０００４】
一方、「壁面収納システム」は、収納スペースを構成する棚板や仕切板、さらには収納スペースの前面を構成する扉やその他の付属備品などがシステム化され、これらを組み合わせて壁状に組立てるもので、収納スペース自体が内壁や間仕切り壁となる。
【０００５】
【発明が解決しようとする課題】
しかしながら、前記従来の形態には、それぞれ以下のような不都合がある。
【０００６】
「造り付け収納」は、棚板や仕切板などの部材を現場で切寸して組立てるため、施工が面倒で、作業者の技量によっては仕上がりの体裁が保証されない。また、一旦完成してしまうと、その後、収納スペースのレイアウト変更や移設をしたくともできないことが多い。
【０００７】
一方、「壁面収納システム」は、収納スペースを室内の一の壁面全体にわたって設け、その前面を面一となるように形成することが多いので、構成部品の点数が多くなって高価なものになりがちである。また、床面付近から天井付近にまでわたって大きな収納スペースが形成されると、室内への圧迫感が大きくなる。
【０００８】
本発明は、このような事情に鑑みてなされたもので、住宅等の内壁に収納家具を組み込むにあたり、施工が容易であって、収納機能の組み合わせやレイアウト変更に対する自由度が高く、しかも内壁と収納家具との意匠的な一体感が得られ、室内への圧迫感も小さくなるような収納家具の設置構造を提供することを目的としている。
【０００９】
【課題を解決するための手段】
本発明の請求項１に記載の収納家具の設置構造は、複数本の柱形とそれら各柱形間の外側寄りに設けられる内壁とによって囲まれた壁面凹部が、少なくとも室内の一の壁面に沿って複数箇所に形成され、これら複数箇所の壁面凹部に、前面の開口した箱状の外殻体を有する収納家具が、その前縁及び天端を同一面に揃え、奥行きの略半分以上を壁面凹部内に嵌め込むようにしてそれぞれ設置されるとともに、前記柱形の前面と前記収納家具の前縁との間の位置に内壁仕上面が形成されたことを特徴とする。この発明によれば、壁面と収納家具との意匠的な一体感や水平方向への連続性が形成される。収納家具の外殻体は予め箱状に形成されているので、現場施工は少なくて済み、設置が容易である。
【００１０】
また、本発明の収納家具の設置構造は、壁面凹部にそれぞれ設置された前記収納家具の天端上に、収納家具の前縁まで張り出した長押部が、当該壁面全体にわたり水平方向に連続して設けられたことを特徴とする。この発明によれば、収納家具と内壁仕上面との一体感や水平方向への拡がり感がさらに強調される。
【００１１】
また、前記長押部によって上下に分割される内壁仕上面は、上部の内壁仕上面が下部の内壁仕上面よりも後退して形成されたことを特徴とする。この発明によれば、天井付近の空間に奥行き感が形成されるので、壁面沿いに収納家具を並べたときに生じがちな圧迫感が緩和されて、居住感が向上する。
【００１２】
また、前記長押部は、少なくとも、略Ｈ形の断面を有する支持材と、この支持材の前縁に取り付けられた前縁材とを備え、前記支持材と前記前縁材との間隔が調節自在に取り付けられたことを特徴とする。この発明によれば、支持材と前縁材との間にスペーサーを挟んで長押部と収納家具の前縁とを整然と揃えることができる。また、支持材の断面形状を利用して、長押部をカーテンボックスや照明器具の取り付けスペースとして利用することもできる。
【００１３】
また、前記収納家具の外殻体は、互いに相対して立設される外側板と、これら外側板を連結する複数枚の水平板と、外側板及び水平板の後縁に張設される背板とからなり、外側板の前縁には外側に張り出した見切り縁が形成されたことを特徴とする。この発明によれば、外側板の見切り縁を使用して内壁仕上面を美しく納めることができるとともに、内壁仕上面が収納家具の前縁より大きく後退して設けられる場合でも、外側板の外側に化粧側板を取り付けてすっきりと仕上げることができる。
【００１４】
また、前記収納家具は、外殻体の内側に複数枚の仕切板が縦向きに取り付けられ、前記各水平板と前記各仕切板とによって分割される複数箇所の内部区画に、それぞれ開き戸、引き戸、棚板又は引出し等が選択的に取り付けられるように構成されるとともに、前記内部区画の幅及び高さが所定モジュール又はその整数倍となるようにシステム化されてなるものであることを特徴とする。この発明によれば、収納家具の収納機能の組み合わせやレイアウト変更に対する高い自由度が確保される。
【００１５】
【発明の実施の形態】
以下、本発明の実施の形態について、図面を参照しつつ説明する
【００１６】
図１は、本発明の収納家具の設置構造を実施して形成された住宅の室内を示す部分斜視図、図２はその横断面図、図３及び図４はその縦断面図である。
【００１７】
この住宅は、鉄骨軸組を有するユニットを組み合わせて建築されたユニット住宅であり、各ユニットの柱は角形鋼管により形成されている。図示した室内の長辺側の壁面１ａには、隣接するユニットの柱同士を２本又は４本連結して柱形１１が形成されるとともに、図示した室内から見てそれら各柱形１１の外側（隣室側）寄りの位置に内壁１２が設けられ、これら相対する柱形１１の見込み面と内壁１２とによって囲まれた壁面凹部１３が複数箇所に形成されている。符号１４は、内壁１２を開口して設けられた隣室に通じる開口部枠である。また、この壁面に隣接する短辺側の壁面１ｂには、内壁１２を開口して窓枠１５が設けられている。
【００１８】
各壁面凹部１３には、外形箱状の収納家具２が、その前縁及び天端を互いに同一面に揃えるようにして嵌め込まれている。
【００１９】
収納家具２は、例えば図５及び図６に示すようなもので、互いに相対して立設される外側板２１と、これら外側板２１を連結する複数枚の水平板２２と、外側板２１及び水平板２２の後縁に張設される背板２３とからなる前面の開口した箱状の外殻体２０を有している。そして、この外殻体２０が壁面凹部１３の床面上に据え置かれ、床面と収納家具２の底面との間に介在させたアジャスター（図示せず）等を介して高さや傾きが調整されるとともに、外側板２１が壁面凹部１３の下地材等に固定される。外側板２１の前縁には、外側に張り出した見切り縁２１１が形成され、前縁の見付け幅が外側板２１の板厚の約２倍となるように形成されている。
【００２０】
外殻体２０の内側には、複数枚の仕切板２４が縦向きに配設され、これら各水平板２２と各仕切板２４とによって分割される複数箇所の内部区画２５に、それぞれ開き戸、引き戸、棚板又は引出し等が選択的に取り付けられるようになっている。水平板２２及び仕切板２４の板厚中心間隔は、例えば３００mm、４５０mm、５００mmなど所定のモジュール又はその整数倍となるように設定され、各内部区画２５に取り付け可能な開き戸や引出しなどのパーツがシステム化されている。図６は、収納機能のレイアウトパターンの一例を示すもので、この例では、上段に木製の引き戸２６、中断にガラス戸の引き戸２７、下段に引出し２８が取り付けられているが、これらの組み合わせは自由である。
【００２１】
各壁面凹部１３に設置された各収納家具２の間には、収納家具２の前縁位置よりもわずかに後退した位置に内壁仕上面１６が形成されている。この内壁仕上面１６は、図７に示すように、収納家具２の外側板２１の前縁に形成された見切り縁２１１の背面に接するようにして取り付けられている。この内壁仕上面１６によって、隣り合う収納家具２の間に位置する柱形１１が被覆される。
【００２２】
また、収納家具２の上部には、柱形１１の直前位置に上部の内壁仕上面１６が形成されている。したがって、室内から見ると、前記した下部の内壁仕上面１６よりも上部の内壁仕上面１６が後退した状態となっている。
【００２３】
各収納家具２の天端上には、上部の内壁仕上面１６の下端から収納家具２の前縁まで張り出した長押部３が取り付けられている。この長押部３は、長辺側の壁面１ａ全体にわたり、水平方向に連続して設けられている。
【００２４】
長押部３は、図８にその断面構造を示すように、断面略Ｈ形の支持材３１、断面略コ字形の前縁材３２、支持材３１と前縁材３２との間に挟まれたスペーサー３３、支持材３１の上面前部に取り付けられた上面下地材３４、上部に水平に取り付けられた上面被覆材３５などから構成されている。そして、支持材３１の後縁が上部の内壁仕上面１６の下地材に固定され、支持材３１の下端が下部の内壁仕上面１６の下地材に固定されている。スペーサー３３は、前縁材３２を収納家具２の前縁に揃えて取り付けるための調整用部材であり、壁面凹部１３に設置された収納家具２の出寸法に応じて適宜選択的に使用される。また、前縁材３２の下縁には、収納家具２の上縁との見切りを意匠的に整えるための繰り形加工３１１が施されている。
【００２５】
この長押部３は、図１及び図９に示すように、短辺側の壁面１ｂにも同じ高さで取り付けられ、壁面１ａ，１ｂの隅部にて連続している。そして、短辺側の壁面１ｂに設けられた窓枠１５の内側において、支持材３１の下側凹部にカーテンレール３６が取り付けられ、カーテンボックスとして利用されている。ただし、この短辺側の長押部３にはスペーサー３３が省かれており、張り出し寸法が長辺側の長押部３よりもやや短くなっている。
【００２６】
このように構成された室内の壁面１ａは、収納家具２の奥行きの大部分が壁面凹部１３の奥行きを利用して嵌め込まれるので、壁面１ａと収納家具２との視覚的な一体化が図られる。また、複数箇所の壁面凹部１３にそれぞれ設置された各収納家具２の前縁及び天端も互いに同一面に揃えられるので、意匠的にも整然としたものになる。
【００２７】
さらに、収納家具２の天端上に、収納家具２の前縁まで張り出す長押部３が設けられ、この長押部３が壁面１ａ全体にわたり水平方向に連続するので、収納家具２と内壁仕上面１６との一体感や水平方向への拡がり感が強調され、意匠性がさらに高められる。そして、この長押部３を隣接する他の壁面１ｂにも連続させて設けることにより、水平方向への拡がり感も一層強調されることとなる。
【００２８】
また、この長押部３によって内壁仕上面１６が上下に分割されることとなるが、上部の内壁仕上面１６を下部の内壁仕上面１６よりも後退させることにより、天井付近の空間に奥行き感が生まれる。これにより、壁面１ａ沿いに収納家具２を並べたときに生じがちな圧迫感が緩和され、居住感が向上する。
【００２９】
この長押部３は、支持材３１の縦断面が略Ｈ形に形成されているので、前記のようにカーテンボックスとして利用することができるほか、支持材３１の上側凹部にアップライト形の照明器具を取り付けて間接照明を行うこともできる。このように、形状の統一された部材を利用して、室内全体にわたる意匠性と機能性の両面を向上させることができる。
【００３０】
また、収納家具２を壁面凹部１３に設置するにあたっては、予め所定の寸法及び形状に加工された収納家具２の外殻体２０を壁面凹部１３に設置するので、現場で部材を加工して内壁１２に造り付けるような方法に比べてはるかに施工性が良い。また、収納家具２を設置した後、その周囲に内壁仕上面１６を形成するのも容易である。なお、収納家具２の外殻体２０の組み立てについては、外側板２１や水平板２２等を現場で連結して組み立てることもでき、収納家具２の大きさが小さい場合には組み立てた状態で搬入・設置することもできる。
【００３１】
加えて、収納家具２の内部区画２５の寸法をモジュール化し、選択的に取り付けられる開き戸や引き戸などのパーツをシステム化することによって、収納機能のレイアウトにおける自由度が確保されるとともに、一旦設置した後からでも、内壁１２周りに手を加えずに、収納機能のレイアウトパターンを容易に変更することができるようになる。
【００３２】
次いで、本発明の他の実施の形態について、図１０乃至図１３を参照しつつ説明する。
【００３３】
図１０及び図１１に示すように、この室内の壁面１ａにも、前記実施の形態と同様に複数箇所の壁面凹部１３が形成され、各壁面凹部１３に収納家具２が嵌め込まれて設置されている。ただし、この実施の形態においては、内壁仕上面１６が、上部、下部とも柱形１１の直前位置に形成されている。そのため、収納家具２は、その奥行きの略半分が内壁仕上面１６の前方に突出して設置された状態となっている。
【００３４】
長押部３は、前記実施の形態と同様に、内壁仕上面１６から収納家具２の前縁まで張り出して取り付けられている。したがって、隣り合う収納家具２の間には長押部３が内壁仕上面１６から庇状に突出しており、長押部３の下部が下面被覆材３７によって平坦に仕上げられている。
【００３５】
そして、図１２に示すように、収納家具２の外側板２１の外側には、見切り縁２１１の背面から内壁仕上面１６の前面にかけて化粧側板４１が貼設され、この化粧側板４１によって外側板２１の外側が平坦に仕上げられるとともに、内壁仕上面１６の縁部の見切り処理が施されている。化粧側板４１の後縁部と内壁仕上面１６との間には、見切り材としてのアジャスター４２が取り付けられている。
【００３６】
また、隣り合う収納家具２の相対する化粧側板４１の間には複数枚の棚板４３が取り付けられ、収納家具２の前縁から内壁仕上面１６までの奥行きを利用したオープン棚として利用できるようになっている。
【００３７】
このように、壁面凹部１３に収納家具２を設置するにあたり、収納家具２の前縁から奥行きの略半分程度後退した位置に内壁仕上面１６を形成するようにすると、壁面１ａと収納家具２との一体感を確保しつつ、内壁仕上面１６の後退分だけ室内空間を広く確保することができる。同時に、隣り合う収納家具２の間の空間を前記のように収納スペースとして利用し、収納家具２の水平方向への連続性を強調することもできる。あるいは、隣り合う収納家具２の間の空間を、壁付けタイプの照明器具やその他の壁面装飾品などを取り付けるためのスペースとして有効活用することもできる。
【００３８】
また、図１３に示す実施の形態のように、隣り合う収納家具２の間に、背板を有する箱状の棚ユニット４４を嵌め込んで設置すると、収納スペースの横方向への一体的な連続性が強調されることとなる。
【００３９】
このように、内壁仕上面１６を柱形１１の直前位置に形成する形態は、壁面凹部１３の奥行きに比べて収納家具２の奥行きが相対的に大きい場合や、室内空間があまり広くない場合などには特に好適である。
【００４０】
なお、本発明においては、住宅等の躯体構造は前記のような鉄骨軸組構造に限定されるものではない。柱形１１が内壁１２よりも室内側に凸設して設けられ、それら柱形１１の間に壁面凹部１３が形成されるものであれば、例えば木造軸組構造や柱・梁ラーメン式の鉄筋コンクリート構造からなる住宅等においても、本発明の適用は可能である。
【００４１】
【発明の効果】
以上に述べたように、本発明によれば、壁面凹部に収納家具が嵌め込まれて設置され、各収納家具の前縁及び天端が同一面に揃えられるとともに、収納家具の前縁よりやや後退した位置に内壁仕上面が形成されるので、壁面と収納家具との意匠的な一体感や水平方向への連続性が形成される。
【００４２】
また、収納家具の天端上に長押部が設けられ、この長押部が壁面全体にわたり水平方向に連続するので、収納家具と内壁仕上面との一体感や水平方向への拡がり感がさらに強調される。この長押部を、カーテンボックスや照明器具の取り付けスペースとして利用することもできる。
【００４３】
また、長押部の上部の内壁仕上面を下部の内壁仕上面よりも後退させることにより、天井付近の空間に奥行き感が生まれるので、壁面沿いに収納家具を並べたときに生じがちな圧迫感も緩和されて、居住感が向上する。
【００４４】
また、収納家具の外殻体を壁面凹部に設置することとしているので、設置の際の施工性が良い。さらに、外殻体の内側に仕切板を取り付けて形成される内部区画の寸法をモジュール化し、引き戸や開き戸などのパーツをシステム化することによって、収納機能の組み合わせやレイアウト変更に対する自由度も確保される。
【図面の簡単な説明】
【図１】  本発明を実施して形成された住宅の室内を示す部分斜視図である。
【図２】  前記室内の壁面部分の横断面図である。
【図３】  図２に示した壁面部分のＸ−Ｘ’縦断面図である。
【図４】  図２に示した壁面部分のＹ−Ｙ’縦断面図である。
【図５】  収納家具の基本的構成を示す分解斜視図である。
【図６】  収納家具の収納機能のレイアウトパターンの一例を示す正面図である。
【図７】  収納家具と内壁仕上面との納まりを示す部分横断面図である。
【図８】  長押部の取付構造を示す縦断面図である。
【図９】  他の壁面における長押部の取付構造を示す縦断面図である。
【図１０】  本発明の他の実施の形態にかかる室内の壁面部分の横断面図である。
【図１１】  図１０に示した壁面部分のＺ−Ｚ’縦断面図である。
【図１２】  図１０に示した実施の形態における、収納家具と内壁仕上面との納まりを示す部分横断面図である。
【図１３】  図１１に示した壁面部分の他の利用例を示す縦断面図である。
【符号の説明】
１ａ，１ｂ壁面
１１柱形
１２内壁
１３壁面凹部
１６内壁仕上面
２収納家具
２０外殻体
２１外側板
２１１見切り縁
２２水平板
２３背板
２４仕切板
２５内部区画
２６引き戸
２７引出し
３長押部
３１支持材
３２前縁材
【図１】
0004156128.tif 000002
【図２】
0004156128.tif 000003
【図３】
0004156128.tif 000004
【図４】
0004156128.tif 000005
【図５】
0004156128.tif 000006
【図６】
0004156128.tif 000007
【図７】
0004156128.tif 000008
【図８】
0004156128.tif 000009
【図９】
0004156128.tif 000010
【図１０】
0004156128.tif 000011
【図１１】
0004156128.tif 000012
【図１２】
0004156128.tif 000013
【図１３】
0004156128.tif 000014